(57)【要約】【課題】黒色等の違和感を与える色が混ざっていないパステル画用の下絵を提供する。【解決手段】トレーシングペーパー１の表面１ＵＳ上には、原画を成す各絵柄の線状の枠の画像を表示する画像体２が形成されている。トレーシングペーパー１の裏面１ＬＳの内で、画像体２がその上に形成されている表面１ＩＳの画像体形成領域ＡＲに対応した裏面１ＬＳの範囲ＡＲＡ内の全域に亘って、少なくとも一種類の色を帯びたパステルの、複数の粉末が密着し合って成るパステル粉末層３が、連続的に付着されている。画用紙の表面上にトレーシングペーパー１を載置し、その後に、トレーシングペーパー１の表面１ＵＳ上の画像体２に沿って、鉄筆等を用いて画像体２の各絵柄の枠の画像をなぞる。その結果、本来のパステルの色のみからなるパステル画の原画の下絵を、お気に入りの色・位置に表示させることが出来る。最早、余計な色が下絵には混在しない。【選択図】図１
2014100790.tif 000002
【特許請求の範囲】
【請求項１】
表面及び前記表面に対向した裏面を有するトレーシングペーパーと、
前記トレーシングペーパーの前記表面上に形成された、原画を成す各絵柄の線状の枠の画像を表示する画像体と、
前記トレーシングペーパーの前記裏面の内で、前記画像体がその上に形成されている前記表面の画像体形成領域に対応した前記裏面の範囲内に全域に亘って連続的に付着された、少なくとも一種類の色を帯びたパステルの、複数の粉末が密着し合って成るパステル粉末層と
を備えたことを特徴とする、原画の下絵形成用母体。
【請求項２】
画用紙の表面と、請求項１に記載の前記原画の下絵形成用母体の前記トレーシングペーパーの前記裏面上の前記パステル粉末層の表面とが、前記パステル粉末層の全面に亘って面接触する様に、前記画用紙の前記表面上に前記原画の下絵形成用母体を載置する工程と、
その後に、前記トレーシングペーパーの前記表面上の前記画像体に沿って、なぞり具を用いて、前記画像体の前記各絵柄の枠の画像をなぞる工程と、
なぞり工程後に、前記画用紙と前記原画の下絵形成用母体とを分離する工程と
を備えたことを特徴とする、原画の下絵の製造方法。
【発明の詳細な説明】
【技術分野】
【０００１】
この発明は、パステル画用の原画の下絵を製造するための技術に関する。
【背景技術】
【０００２】
パステル画法に精通された教師の方から当該パスレル画法を習う場合には、教室の生徒は、通常、フリーハンドにより、直接にパステルで絵を描く。
【先行技術文献】
【特許文献】
【０００３】
【特許文献１】特開２００９−１０１６７３号公報
【特許文献２】特開２００１−３２２３１６号公報
【発明の概要】
【発明が解決しようとする課題】
【０００４】
しかし、初心者等の多くの生徒は、フリーハンドによって、自己が思う様なパスレル画を描くことが出来ない。
【０００５】
そこで、教師により描かれたパステル画の画像或いは撮影された写真の画像等を、教室の生徒が教師の指導に従って模写することで、当該生徒は、その画法を身につけていく指導方法が、考えられる。
【０００６】
その場合に、模写対象の画像（原画に該当。）の下絵を先ず作成した上で、その下絵に対してお好みの色のパステル（その色数は４８色以上もある。）を用いて彩色して原画の模写絵を作成していくことになる。
【０００７】
上記のパステル画の下絵を作成する方法としては、原画の各絵柄の線状の枠を筆記具でトレーシングペーパーの表面になぞった上で、当該トレーシングペーパーと、パステル画をその表面に書くための画用紙との間に、カーボン紙（複写用感圧紙）を配置した後に、トレーシングペーパーの表面の画像を鉄筆等の用具でなぞって、画用紙の表面上に模写対象の原画の下絵を作成する方法が、考えられる。尚、本出願人は、カーボン紙を用いた斯かる下絵作成方法が公知の事実であるかは、知らないところである。
【０００８】
しかしながら、カーボン紙を利用して下絵を作成する場合には、鉄筆等でなぞった後の画用紙上に作成された下絵の色は、黒っぽい又は藍色っぽい色であって、パステルの種々の色とは違和感のある、相対的に見て汚れた色であると、評価し得る。
【０００９】
この様な黒っぽい又は藍色っぽい色の彩色がなされた下絵の画像に対して、様々な色の中から自己のお好みの色のパステルで色を付けてパステル画による原画の模写を行うと、パステルの純粋な色のみで模写を行うことが出来ずに、どうしてもパステルの色と黒っぽい又は藍色っぽい色とが混在してなる、原画の彩色と相対的に比較して、原画の美しさとは程遠い、見た目に良くない模写絵となってしまい、美しいパステル画を作成することが出来ない。そうなってくると、パステル画法の学習者は、当該画法を学ぶ創作意欲を減少させてしまい兼ねず、意欲減退に伴い当該画法を身につけるためにはより長い期間を要することになり兼ねない。
【００１０】
本発明は、斯かる問題点を認識した上で成されたものであり、パステル画法を身に付けるためにパステル画法を学習している者が、学習段階に於いて、自己のお好みのパステルの色で且つ自己のお好みの形態で、純粋にパステルの色のみで自在に描かれた原画の模写用下絵を製作することを可能とする点に、その主目的を有する。
【課題を解決するための手段】
【００１１】
本発明の第１主題は、原画の下絵形成用母体であって、表面及び前記表面に対向した裏面を有するトレーシングペーパーと、前記トレーシングペーパーの前記表面上に形成された、原画を成す各絵柄の線状の枠の画像を表示する画像体と、前記トレーシングペーパーの前記裏面の内で、前記画像体がその上に形成されている前記表面の画像体形成領域に対応した前記裏面の範囲内に全域に亘って連続的に付着された、少なくとも一種類の色を帯びたパステルの、複数の粉末が密着し合って成るパステル粉末層と、を備えたことを特徴とする。
【００１２】
本発明の第２主題は、原画の下絵の製造方法であって画用紙の表面と、請求項１に記載の前記原画の下絵形成用母体の前記トレーシングペーパーの前記裏面上の前記パステル粉末層の表面とが、前記パステル粉末層の全面に亘って面接触する様に、前記画用紙の前記表面上に前記原画の下絵形成用母体を載置する工程と、その後に、前記トレーシングペーパーの前記表面上の前記画像体に沿って、なぞり具を用いて、前記画像体の前記各絵柄の枠の画像をなぞる工程と、なぞり工程後に、前記画用紙と前記原画の下絵形成用母体とを分離する工程と、を備えたことを特徴とする。
【発明の効果】
【００１３】
本発明の主題によれば、パステルを成す顔料の色とは違和感のある黒色・藍色等の外部要因の色の混ざりけが無い純粋な、お好みの色のパステルの粉末のみで描かれた、原画の下絵を、画用紙上に、お好みの形態として自在に表示することが出来る。
【００１４】
又、本発明の主題によれば、下絵作成に際して、「チャコペーパー」の様なカーボンを用いた紙を不要とすることが出来る。
【００１５】
以下、本発明の様々な具体化を、添付図面を基に、その効果・利点と共に、詳述する。
【図面の簡単な説明】
【００１６】
【図１】本発明の実施の形態１に係る原画の下絵形成用母体の構成を模式的に示す斜視図である。
【図２】本発明の実施の形態１に係る原画の下絵形成用母体のトレーシングペーパーの裏面の対応領域内に付着されている、互いに異なる純粋なパステルの色から成る第１及び第２パステル粉末層を模式的に示す平面図である。
【図３】本発明の実施の形態２に係る原画の下絵の製造方法の工程を示すフローチャートである。
【図４】図３のステップ２の実行後の状態を模式的に示す縦断面図である。
【発明を実施するための形態】
【００１７】
（実施の形態１）  原画の下絵形成用母体の構成及びその製造方法
【００１８】
図１は、本実施の形態に係る「原画の下絵形成用母体１０」の構成を模式的に示す斜視図である。ここで、「原画」は、模写対象のパステル画の画像自体であっても良いし、或いは、写真の画像であっても良い。又は、「原画」は、コンピュータの画面に表示されている画像を印刷した画像等、その他の物の画像であっても良い。尚、図１中のハッチングは、表示の便宜上、描かれているものであり、断面部分を示すものではない。
【００１９】
図１に示す原画の下絵形成用母体１０の核心部ないしは中核部は、少なくも１種類の色を帯びたパステルの原材料である顔料から成るパステルの複数（多数）の粉末が互いに混在・密着されて成る、「集合固体」としての「パステル粉末層３」の存在である。その厚みは任意である。
【００２０】
図１に於いて、トレーシングペーパー１の表面１ＵＳ上には、例えば黒色のペン、マジック又は鉛筆等の筆記体の原材料によって表示される画像体２が、形成されている。この画像体２は、模写対象の「原画」を成す各絵柄の線状の枠の画像を表示する。ここで、記号ＡＲは、トレーシングペーパー１の表面１ＵＳの内で、当該画像体２が形成されている領域である「画像体形成領域」を示している。勿論、画像体形成領域ＡＲは、四角形である必要性はなく、任意の形状のエリアである。例えば、画像体２が花柄（例：バラ）の図形を表示して成る物である場合には、当該花柄を成す、「花びら」、「茎」、「葉っぱ」の各部の画像が、原画の模写に用いた筆記体の原材料によって、画像体形成領域ＡＲ内の全域の表面上に表示されている。この様な画像体２の厚みは、トレーシングペーパー１及び上記の「パステル粉末層３」の各厚みと比較して、各段に薄い。
【００２１】
他方、トレーシングペーパー１の表面１ＵＳに対向した裏面１ＬＳ上には、少なくとも１種類の色を帯びたパステルの複数（多数）の粉末が密着して成る「集合固体」としての「パステル粉末層３」が、画像体形成領域ＡＲに対して１：１で対応した領域ＡＲＡ内の裏面１ＬＳ上に形成されている。この様なパステル粉末層３の構成の一例を示す図が、トレーシングペーパー１の裏面上方から眺めた際の平面図である図２である。尚、図２の「ハッチング部分」も、便宜上の表示であって、断面を示すものではない。
【００２２】
図２の例示に於いては、図１の画像体２の図柄（大要、２つの絵柄の合体より成る。）の大きさ及び配色に対応して、互いに異なる２種類の色のパステルの各々の、複数の粉末の密着より成る第１パステル粉末層ＰＡ及び第２パステル粉末層ＰＢが、パステル粉末の粘着力によって、トレーシングペーパー１の裏面１ＬＳの対応領域ＡＲＡ内に、付着されている。例えば、第１パステル粉末層ＰＡは、画像体形成領域ＡＲに対応する領域ＡＲＡの中央部に付着されており、全体として見た場合に、青色の顔料により着色されたパステルの複数の粉末の集合固体としての層を成す。同じく、例えば、第１パステル粉末層ＰＡの周囲を全体的に取り囲む、対応領域ＡＲＡの該当領域内の裏面１ＬＳ上には、第２パステル粉末層ＰＢが付着されている。例えば、第２パステル粉末層ＰＢは、全体として見た場合に、緑色の顔料により着色されたパステルの複数の粉末の集合固体としての層を成す。
【００２３】
勿論、パステル粉末層の色の種類を３色以上としても良い。
【００２４】
この様な構造を備えた原画の下絵形成用母体１０は、後述する実施の形態２に於ける原画の下絵を製造する工程に利用した場合に、「発明の効果」の欄で既述した作用・効果を奏するものである。
【００２５】
次に、図１の原画の下絵形成用母体１０の製造方法について記載する。
【００２６】
先ず、模写すべき図案を有する原画及び何も書かれていない１枚のトレーシングペーパー１を準備する。
【００２７】
その上で、原画の表面上に、トレーシングペーパー１の裏面１ＬＳが当該原画の画面と面接触する様に、トレーシングペーパー１を載置する。
【００２８】
その後、主として黒色又は好みに応じて青色等の色の筆記具を用いて、トレーシングペーパー１を介して透けて見えている上記原画の各絵柄の線状の枠の画像をなぞることで、トレーシングペーパー１の表面１ＵＳ上に、画像体２を表示・形成する。
【００２９】
原画の図案の書き写し工程終了後、上記原画から分離して、トレーシングペーパー１を引っ繰り返して、裏面１ＬＳを正面となる様に、トレーシングペーパー１を据える。
【００３０】
その上で、使用したい、お好みの色の種類分だけの数のパステルを用意し、各パステルの表面をカッターナイフ等の切削具を用いて、当該パステルの表面をなぞる様に削ることで、各色のパステルの複数の（多数の）粉末体をそれぞれ製作する。尚、パステル自体の種類としては、「ハードパステル」及び「ソフトパステル」が有るが、何れでも良いが、本例では、「ハードパステル」を使用している。
【００３１】
そして、当該色のパステルの複数の粉末体を、トレーシングペーパー１を介して透けて見えている画像体２の画像の内で、当該色のパステルの粉末を付着させたい画像の位置に対応する裏面１ＬＳの対応領域上に、指又はスポンジ等の道具を用いて、当該色のパステルの複数の粉末を塗り込んでいき、以って、各パステル粉末層ＰＡ，ＰＢを形成する。この工程は機械的に制御して行っても良い。この塗り込み工程により、各パステル粉末層ＰＡ，ＰＢを成す、塗り込まれた各粉末の粘着力によって、第１及び第２パステル粉末層ＰＡ，ＰＢは、裏面１ＬＳの領域ＡＲＡ内に、パステルの主たる原材料である顔料より成る複数のパステル粉末の密着集合固体として、付着される。
【００３２】
以上の工程を経て、図１、図２に例示される原画の下絵形成用母体１０が製作される。
【００３３】
（実施の形態２）  原画の下絵の製造方法
【００３４】
図３は、実施の形態１に係る原画の下絵形成用母体１０を用いて、模写したい原画の下絵を、お好みの色のパステル粉末で、画用紙上にお好みの色と形態でと以って表示する際の各製造工程を示すフローチャートである。
【００３５】
又、図４は、図３のステップＳ２の工程を示すための縦断面図である。但し、図４では、表示の便宜上、画像体２及び各パステル粉末層３のみを「ハッチング」で表示している。画用紙４は、表面４ＵＳと、対向する裏面４ＬＳとを有する。
【００３６】
先ず、ステップＳ１では、実施の形態１で記載した原画の下絵形成用母体１０を準備する。その最適な製造方法の一例としては、実施の形態１で記載した製造方法がある。
【００３７】
次のステップＳ２では、図４に模式的に示す通り、トレーシングペーパー１の裏面１ＬＳ側のパステル粉末層３の表面（露出面）が画用紙４の表面４ＵＳと全体的に面接触する様に、トレーシングペーパー１を画用紙４の表面４ＵＳ上に載置する。この工程により、図４に示す通り、画用紙４の表面４ＵＳ上に、原画の下絵形成用母体１０が載置される。
【００３８】
尚、ステップＳ２の前段階に於いて、画用紙４の表面４ＵＳ上に、予め対応する色のパステルを用いて、下塗りを行っておいても良い。その場合、画用紙４の上面４ＵＳの下絵を形成する領域の中央部に、例えば青色のパステルのみで描かれた下塗りの画像が形成される。この下塗り工程は、ステップＳ３の後の工程として行っても良い。
【００３９】
その次のステップＳ３では、トレーシングペーパー１の表面１ＵＳ上の画像体２の各絵柄の線状の枠の画像に沿って、なぞり具（鉄筆等）を用いて、画像体２の各絵柄の枠の画像を、なぞる。当該なずり工程は、数値制御（ＮＣ）によって自動制御しながら機械的になぞり加工することで、下絵の大量生産を可能とする工程としても良い。
【００４０】
最後のステップＳ４に於いて、画用紙４と原画の下絵形成用母体１０とを分離する。
【００４１】
その結果、画用紙４の表面４ＵＳ上には、違和感を生じさせることの無い、且つ、後のパステル画を描く際に見た目に良くない余計な色となってしまう様な好ましくない色の混じりが一切ない状況の下に於いて、純粋にパステル本来の色のみから表示される原画の下絵が、下絵作成者のお気に入りの色で且つお気に入りの形態で以って、各パステル粉末層３によって形成され（写し出される。）、その様な美しい色の下絵が画用紙上に浮かび上がる。
【００４２】
対象の原画の模写絵をパステルで最終的に仕上げていく場合には、当該下絵を使用してパステル画法を駆使することで、パステルの本来の色で表現された美しいパステル画を画用紙上に描き出すことが出来る。従来技術の問題点として指摘した様なパステル画の下絵としては好ましく無い状況は、一切生じることはない。
【００４３】
尚、「画用紙」は、通常の「画用紙」のみならず、それに相当する様な、なぞり具を用いて画像体の各絵柄の枠の画像をなぞることで当該各絵柄の枠の画像を模写するのに適した材質の物であれば、それで代用しても良い。その様な広義の概念として、「画用紙」という用語を本発明では用いている。
【００４４】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４５】
この発明は、原画よりパステル画用の下絵を製作する場合に適用して好適である。
【符号の説明】
【００４６】
１０    原画の下絵形成用母体
１      トレーシングペーパー
２      画像体
３      パステル粉末層
４      画用紙
ＰＡ    第１パステル粉末層
ＰＢ    第２パステル粉末層
ＡＲ    トレーシングペーパーの表面内の画像体形成領域
ＡＲＡ  トレーシングペーパーの裏面内で画像体形成領域に対応する領域
【図１】
2014100790.tif 000003
【図２】
2014100790.tif 000004
【図３】
2014100790.tif 000005
【図４】
2014100790.tif 000006
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
表面及び前記表面に対向した裏面を有するトレーシングペーパーと、
前記トレーシングペーパーの前記表面上に形成された、パステル画法の学習者の学習段階に応じてお好みにより任意に選択された原画を成す各絵柄の線状の枠の画像を表示する画像体と、
前記トレーシングペーパーの前記裏面の内で、前記画像体がその上に形成されている前記表面の画像体形成領域に対応した前記裏面の範囲内に全域に亘って連続的に付着された、前記原画の前記各絵柄の大きさ及び配色に対応して好みに応じて選択された形態及び互いに異なる少なくとも二種類の色を帯びた各々のパステルの、複数の粉末が密着し合って成るパステル粉末層と
を備えたことを特徴とする、原画のパステル画用下絵形成用母体。
【請求項２】
画用紙の表面と、請求項１に記載の前記原画のパステル画用下絵形成用母体の前記トレーシングペーパーの前記裏面上の前記パステル粉末層の表面とが、前記パステル粉末層の全面に亘って面接触する様に、前記画用紙の前記表面上に前記原画の下絵形成用母体を載置する工程と、
その後に、前記トレーシングペーパーの前記表面上の前記画像体に沿って、なぞり具を用いて、前記画像体の前記各絵柄の枠の画像をなぞる工程と、
なぞり工程後に、前記画用紙と前記原画のパステル画用下絵形成用母体とを分離する工程と
を備えたことを特徴とする、原画のパステル画用下絵の製造方法。
【手続補正３】
【補正対象書類名】明細書
【補正対象項目名】００１１
【補正方法】変更
【補正の内容】
【００１１】
本発明の第１主題は、原画のパステル画用下絵形成用母体であって、表面及び前記表面に対向した裏面を有するトレーシングペーパーと、前記トレーシングペーパーの前記表面上に形成された、パステル画法の学習者の学習段階に応じてお好みにより任意に選択された原画を成す各絵柄の線状の枠の画像を表示する画像体と、
前記トレーシングペーパーの前記裏面の内で、前記画像体がその上に形成されている前記表面の画像体形成領域に対応した前記裏面の範囲内に全域に亘って連続的に付着された、前記原画の前記各絵柄の大きさ及び配色に対応して好みに応じて選択された形態及び互いに異なる少なくとも二種類の色を帯びた各々のパステルの、複数の粉末が密着し合って成るパステル粉末層と、を備えたことを特徴とする。
【手続補正４】
【補正対象書類名】明細書
【補正対象項目名】００１２
【補正方法】変更
【補正の内容】
【００１２】
本発明の第２主題は、原画のパステル画用下絵の製造方法であって、画用紙の表面と、請求項１に記載の前記原画のパステル画用下絵形成用母体の前記トレーシングペーパーの前記裏面上の前記パステル粉末層の表面とが、前記パステル粉末層の全面に亘って面接触する様に、前記画用紙の前記表面上に前記原画の下絵形成用母体を載置する工程と、その後に、前記トレーシングペーパーの前記表面上の前記画像体に沿って、なぞり具を用いて、前記画像体の前記各絵柄の枠の画像をなぞる工程と、なぞり工程後に、前記画用紙と前記原画のパステル画用下絵形成用母体とを分離する工程と、を備えたことを特徴とする。